(57)【要約】【課題】既設のランプの配光を状況に応じて広げたり狭めたり、またランプの照射領域内での所定の位置の照度を変更したりするといった、きめ細やかな照明の制御を可能にするＬＥＤランプ及び照明装置を提供する。【解決手段】ＬＥＤランプにおいて、照射方向が互いに異なる複数のＬＥＤを備えており、前記複数のＬＥＤが、それぞれ個別に制御可能となっている。【選択図】図１
2017188231.tif 000002
【特許請求の範囲】
【請求項１】
照射方向が互いに異なる複数のＬＥＤを備えており、
前記複数のＬＥＤが、それぞれ個別に制御可能となっている、ＬＥＤランプ。
【請求項２】
角度の異なる複数のＬＥＤ配置面を有しており、前記複数のＬＥＤ配置面に、前記複数のＬＥＤがそれぞれ配置されている、請求項１に記載のＬＥＤランプ。
【請求項３】
前記複数のＬＥＤを個別に制御するための制御部を備えている、請求項１又は２に記載のＬＥＤランプ。
【請求項４】
前記ＬＥＤが、少なくとも、第一の色調の光を照射するＬＥＤと、前記第一の色調の光とは異なる第二の色調の光を照射するＬＥＤとを含み、前記第一の色調の光を照射するＬＥＤと前記第二の色調の光を照射するＬＥＤとが個別に制御可能になっていることによって、調色機能を有する、請求項１から３のいずれか一項に記載のＬＥＤランプ。
【請求項５】
前記ＬＥＤランプが直管形ＬＥＤランプである、請求項１から４のいずれか一項に記載のＬＥＤランプ。
【請求項６】
前記互いに異なる照射方向が、前記直管形ＬＥＤランプの長手方向に直交する断面で見て互いに異なる照射方向である、請求項５に記載のＬＥＤランプ。
【請求項７】
請求項１から６のいずれか一項に記載のＬＥＤランプを２つ以上備えており、
前記２つ以上のＬＥＤランプが、互いに連動するように制御されている、照明装置。
【請求項８】
前記２つ以上のＬＥＤランプのうち第一のＬＥＤランプの少なくとも１つのＬＥＤの照射領域と、前記２つ以上のＬＥＤランプのうち第二のＬＥＤランプの少なくとも１つのＬＥＤの照射領域とが重なっており、前記第一のＬＥＤランプの前記少なくとも１つのＬＥＤと前記第二のＬＥＤランプの前記少なくとも１つのＬＥＤとが、互いに連動するように制御されている、請求項７に記載の照明装置。
【発明の詳細な説明】
【技術分野】
【０００１】
本発明は、ＬＥＤランプ及び照明装置に関する。
【背景技術】
【０００２】
ＬＥＤ（Ｌｉｔｇｈｔ  Ｅｍｉｔｔｉｎｇ  Ｄｉｏｄｅ）を用いたランプ（照明器具）において、所望の配光を得るための様々な技術が知られている。
【０００３】
例えば、複数のＬＥＤ光源が配置された二枚の基板を一定の角度を有するように設けることによって、広角の照射を実現したＬＥＤランプが知られている（特許文献１）。また、ランプの背面側に空間を確保することにより、背面への照射量を増加させ、天井側の暗い部分を小さくしたＬＥＤランプも知られている（特許文献２）。
【発明の概要】
【発明が解決しようとする課題】
【０００４】
しかしながら、特許文献１、２のＬＥＤランプにおいては、その配光や照度分布は固定されている。つまり、一度ＬＥＤランプを設置すると、ＬＥＤランプの構造に変更を加えない限り、配光や照度分布を変更することはできない。そのため、従来のＬＥＤランプにおいては、既設のランプの配光を状況に応じて広げたり狭めたり、またランプの照射領域内での所定の位置の照度を変更したりするといった、きめ細やかな照明の制御を行うことはできなかった。
【０００５】
本発明は、上記の点に鑑みてなされたものであり、配光や照度分布を容易に変更でき、きめ細やかな照明の制御を可能にするＬＥＤランプを提供することを課題とする。
【課題を解決するための手段】
【０００６】
上記課題を解決するために、本発明のＬＥＤランプは、照射方向が互いに異なる複数のＬＥＤを備えており、前記複数のＬＥＤが、それぞれ個別に制御可能となっていることを特徴とする。
【発明の効果】
【０００７】
本発明によれば、配光や照度分布を容易に変更でき、きめ細やかな照明の制御を可能にするＬＥＤランプを提供することができる。
【図面の簡単な説明】
【０００８】
【図１】本発明の一態様によるＬＥＤランプの断面図である。
【図２】本発明の一態様によるＬＥＤランプの機能を説明する図である。
【図３】本発明の一態様におけるＬＥＤランプの斜視図である。
【図４】本発明の一態様による照明装置の機能を説明する図である。
【図５】本発明の一態様による照明装置の機能を説明する図である。
【発明を実施するための形態】
【０００９】
以下、図面を参照しながら発明を実施するためのより具体的な形態について説明する。
【００１０】
（第一の実施態様）
図１に、本発明の一態様によるＬＥＤランプの構成を説明するための概略図を示す。ここでは、例として直管形ＬＥＤランプの断面図、具体的には、ＬＥＤランプ１００の長手方向に直交する面で切った断面図（横断面図）を示す。直管形ＬＥＤランプは、その長手方向に配置されている複数のＬＥＤを含む列を有するＬＥＤランプであり、その一例の斜視図を図３に示す。
【００１１】
ＬＥＤランプ１００は、支持体５０、ランプの光源であるＬＥＤを配置するための基板２０、及びＬＥＤ及び基板２０を収容するためのカバー部材３０を備えている。支持体５０は平板状であってよく、その一方の側の面に基板２０が設けられている。直管形ＬＥＤランプの場合には、ランプの形状に対応して支持体５０も長尺になっている。
【００１２】
なお、本明細書では説明を簡単にするために、ＬＥＤランプの長手方向（支持体の長手方向）をｘ方向とする。ｘ方向は、図１においては、紙面に対して直交する、紙面の手前から奥へ向かう矢印で示す。また、ｘ方向に直交する、支持体５０の厚み方向（支持体５０の表面の法線方向）をｚ方向とし、ｘ方向及びｚ方向に直交する、支持体５０の短手方向（幅方向）をｙ方向とする。
【００１３】
基板２０は、支持体５０に接している面以外の面に、ＬＥＤを配置させるＬＥＤ配置面を有していてよい。図示の例では、基板２０は、支持体５０の短手方向（ｙ方向）と平行なＬＥＤ配置面２２を有しており、さらに、このＬＥＤ配置面２２に隣り合って、ＬＥＤ配置面２２に対して傾斜したＬＥＤ配置面２１、２３を有している。つまり、基板２０は、ＬＥＤランプ１００の横断面で見て、支持体５０の幅方向（ｙ方向）に対する角度が互いに異なる複数のＬＥＤ配置面を有している。ＬＥＤ配置面２１、２２、２３にはそれぞれ、ＬＥＤ１１、１２、１３が配置されている。なお、図示の例では、ＬＥＤ１１、１２、１３として、トップビュー型のＬＥＤが用いられている。
【００１４】
カバー部材３０は、支持体５０と接続され、基板２０及びＬＥＤ１１、１２、１３を収容する。図示の例では、カバー部材３０は、ＬＥＤランプの長手方向に沿って一部が切断された円筒形状を有しており、カバー部材３０の横断面は、一部の円弧が切り取られた円形となっているが、カバー部材の形状はこれに限られない。カバー部材３０は、光が透過し得る樹脂又はガラスで形成されていてよい。また、カバー部材３０の表面は、ＬＥＤランプの使用目的及び使用形態に応じて加工されていてもよい。
【００１５】
上述のように、基板２０には、ＬＥＤランプの長手方向に直交する断面で見て、支持体５０の幅方向（ｙ方向）に対する角度が互いに異なる配置面２１、２２、２３が形成され、その配置面それぞれにＬＥＤ１１、１２、１３が配置されている。これにより、ＬＥＤランプの横断面で見て照射方向（照射角度）の異なる複数のＬＥＤを備えた構成が得られる。ここで、ＬＥＤの照射方向は、ＬＥＤ光源の光が最も強く向かう方向とする。
【００１６】
図示の例ではＬＥＤ光源が合計３つ配置されているが、ＬＥＤ光源の数は複数であれば特に制限されない。例えば、ＬＥＤランプの横断面で見て照射方向の異なるＬＥＤの数は、３以上とすることができる。
【００１７】
図示の例では、ＬＥＤが３つ設けられ、ＬＥＤランプの横断面で見て中央のＬＥＤの照射方向は鉛直方向であるので、上記の隣り合うＬＥＤの照射方向がなす角度は、ＬＥＤの照射方向が支持体の厚み方向（ｚ方向）に対してなす角度に等しい。
【００１８】
ＬＥＤ配置面の数も特に制限されない。例えば、ＬＥＤランプの横断面で見て、水平方向に対する角度が互いに異なるＬＥＤ配置面の数は、３以上とすることができる。ＬＥＤの数、及び角度の異なる（延在方向の異なる）ＬＥＤ配置面の数は、図示の例のように一致していても、後述のように異なっていてもよい。
【００１９】
図示の例では、１つのＬＥＤ配置面に対して１つのＬＥＤが配置されている。しかし、１つのＬＥＤ配置面に対して、複数のＬＥＤが設けられていてもよい。
【００２０】
また、ＬＥＤ配置面は１つであっても、照射方向が互いに異なるＬＥＤ、例えばトップビュー型の光源とサイドビュー型の光源とを同一の配置面に配置することによって、照射方向の異なる複数のＬＥＤを有する構成を得ることができる。
【００２１】
ＬＥＤランプ１００が照射方向の異なる複数のＬＥＤを備えていれば、ＬＥＤランプ１００の基板２０の、支持体５０とは反対側の面は曲面になっていてもよく、その場合、その曲面上の任意の所望の位置に照射方向の異なる複数のＬＥＤを配置することができる。
【００２２】
また、ＬＥＤ配置面が複数設けられている場合、ＬＥＤランプの横断面で見たＬＥＤ配置面のｙ方向に対する角度（ＬＥＤ配置面の延在方向）は、ＬＥＤランプの用途及び目的に応じて決定することができる。
【００２３】
なお、ＬＥＤの数及びタイプ、ＬＥＤ配置面の数及び角度は、ＬＥＤランプの用途及び目的に応じて変更することができる。また、ＬＥＤの照射方向は、ＬＥＤ配置面の法線と同一方向であってもよいし、同一方向でなくてもよい。
【００２４】
図１のＬＥＤランプ１００において、照射方向の異なる複数のＬＥＤ１１、１２、１３は個別に制御できるようになっている。つまり、各ＬＥＤ１１、１２、１３の光出力は、それぞれ独立して調整できるようになっている。このようなＬＥＤの個別の制御（出力調整）のためには、例えば、各ＬＥＤに供給する電流を個別に増減させる制御部６０を、基板２０又は支持体５０に設けることができる。制御部６０の形態には特に制限はないが、無線モジュールで構成することができる。ＬＥＤ及びＬＥＤランプの制御は、リモートコントロール可能であると好ましい。
【００２５】
このように、ＬＥＤランプに設けられた照射方向の異なる複数のＬＥＤが個別に制御可能となっているので、各ＬＥＤが作り出す照射領域を所望の照度で自由に組み合わせることによって、より細かく分割された領域での照度を独立に変更することができ、所望の配光及び被照射面７０における照度分布を得ることができる。特に、ＬＥＤランプが直管形ＬＥＤランプである場合には、その長手方向と直交する方向で所望の配光及び照度分布を得ることができる。
【００２６】
図２に、ＬＥＤランプにおけるＬＥＤの制御の例を示す。図２では、本発明の一態様によるＬＥＤランプの機能を説明するために、ＬＥＤ１１、１２、１３からの照射光を、それぞれ主照射光５１１、５１２、５１３として表す。主照射光５１１、５１２、５１３は、光源であるＬＥＤ１１、１２、１３から出射し、カバー部材３０を透過した光を主として含む照射光を指す。
【００２７】
ここで、主照射光５１１、５１２、５１３の図示の領域は、ＬＥＤランプの機能を説明するために、便宜上画定したものであって、実際の照射光の照射領域（配光）とは異なっていてよい。例えば、図２（ａ）では、主照射光５１２の領域と主照射光５１３の領域とは重なっていないが、実際の照射光はより広角になって互いに重なっていてもよいし、より狭角になっていてもよい。
【００２８】
一般に、ＬＥＤランプの照射光の配光及び照度は、ＬＥＤ光源の種類、カバー部材の材質や構造、ＬＥＤとカバー部材との距離等によっても変化する。これらの要素は、ＬＥＤランプの用途及び目的に応じて、適宜選択することができる。
【００２９】
図２（ａ）に、ＬＥＤ１２、１３をＯＮとし、ＬＥＤ１１をＯＦＦとした状態又はＬＥＤ１１の光出力をＬＥＤ１２、１３に対して相対的に弱くした状態を示す。これにより、中央から右側の空間のみに重点的な照明が必要である場合に、そのような所望の照明を容易に作り出すことができる。また、不要なＬＥＤへの給電を減らすことができるので、エネルギーの節約も実現できる。なお、図２（ａ）の中央から右側の空間を照らすＬＥＤ１２、１３の光出力を、０％超１００％以下の間で互いに独立して調整することによって、さらにきめ細かな制御が可能となる。
【００３０】
図２（ｂ）に、中央のＬＥＤ１２をＯＮとし、左右のＬＥＤ１１、１３をＯＦＦとした状態又はこれらのＬＥＤの光出力をＬＥＤ１２に対して相対的に弱くした状態を示す。これにより、ＬＥＤランプ１００の直下の空間のみに重点的な照明が必要な場合に、そのような所望の照明を容易に作り出すことができる。図２（ｂ）の状態においても、ＬＥＤ１２の出力を０％超１００％以下の間で調整することによって、さらに細かな制御が可能となる。
【００３１】
図２（ｃ）には、ＬＥＤ１１、１２、１３の全てをＯＮにした状態のＬＥＤランプ１００を示す。但し、中央のＬＥＤ１２と両側のＬＥＤ１１、１３とで照射光の色調を変更してある。図示の例では、中央のＬＥＤ１２の照射光が電球色となっており、ＬＥＤ１１、１３の照射光が昼白色（蛍光色）となっている。
【００３２】
図２（ｃ）の状態を得るために、中央のＬＥＤ１２として、電球色に発光するＬＥＤ光源が搭載され、左右のＬＥＤ１１、１３として昼白色に発光するＬＥＤ光源が搭載されたＬＥＤランプ１００を使用することができる。
【００３３】
ＬＥＤランプ１００が直管形ＬＥＤランプである場合には、ＬＥＤランプの構成は、例えば図３に示すものとすることができる。図３のＬＥＤランプでは、長手方向に配置された複数のＬＥＤを含む列が３つ設けられており、各列のＬＥＤは、ＬＥＤ配置面２１、２２、２３に配置されている。さらに、配置面２２に配置された複数のＬＥＤが、昼白色に発光するＬＥＤ光源１２と、電球色に発光するＬＥＤ光源１２ａとを両方含むように構成されている。図３の例では、昼白色に発光するＬＥＤ光源１２と電球色に発光するＬＥＤ光源１２ａとが、配置面２２において交互に並んでいるが、異なる色調を発光するＬＥＤ光源の配置形式はこれに限られない。
【００３４】
図３の直管形ＬＥＤランプでは、同一配置面２２に設けられた複数のＬＥＤ１２、１２ａはそれぞれ個別に出力調整が可能となっていてよい。その場合、例えば、電球色を発光する複数のＬＥＤ１２ａの全部又は一部をＯＮにし、昼白色を発光する複数のＬＥＤ１２の全て又は一部をＯＦＦにするか、又は昼白色を発光する複数のＬＥＤ１２の光出力を相対的に小さくすることによって、ＬＥＤランプ１００直下の空間の照明を電球色にすることができる。この場合も、図２（ａ）及び図２（ｂ）の例と同様に、ＯＮになっているＬＥＤ光源の光出力を、個別に０％超１００％以下の間で任意の出力に調整することができる。
【００３５】
このように、本発明の一態様によるＬＥＤランプでは、ある色調の光、例えば昼白色の光を照射するＬＥＤと、この色調とは異なる別の色調の光、例えば電球色の光を照射するＬＥＤとを備え、両ＬＥＤの出力が個別に制御可能になっていることによって、ＬＥＤランプが調色機能を有することができる。なお、上述の説明では、ＬＥＤの発光色として電球色及び昼白色を挙げたが、用途に応じて、その他の色、例えば赤色、青色、緑色、紫色等に発光する光源を組み合わせて、より自由度の高い照明を実現することができる。
【００３６】
このように、本発明の一態様によるＬＥＤランプによれば、ＬＥＤランプを設置した後に、その配光を状況に応じて広げたり狭めたり、またＬＥＤランプの照射領域内での所定の位置の照度及び／又は色を変更したりすることが容易にできる。これにより、人や物の位置又は時間帯に応じて配光や色調を変化させることや、時々刻々と変化する条件、例えば人又は物の移動に応じて任意の位置での照度を変更することも容易にでき、きめ細やかな照明の制御が可能となる。
【００３７】
図１及び図２においては、ＬＥＤランプ１００が直管形ＬＥＤランプであることに言及しているが、本発明の一態様によるＬＥＤランプは、直管形以外のＬＥＤランプ、例えば、電球形、丸形とすることもできる。その場合でも、照射方向の異なる複数のＬＥＤが設けられ、それらが個別に制御できるという特徴を有することによって、より小さな照射領域単位で配光及び照度分布を容易に変更でき、きめ細やかな照明の制御を可能にするという効果が得られる。
【００３８】
また、図示の例では、ＬＥＤランプの長手方向に直交する断面で見て照射方向が異なるＬＥＤがそれぞれ個別に制御され、その光出力が調整されているが、ＬＥＤランプの長手方向に配置された複数のＬＥＤ（同一の列に含まれる複数のＬＥＤ）が、個別に制御可能であってもよい。これにより、一層きめ細やかな照明の制御を実現することができる。
【００３９】
（第二の実施態様）
図４に、本発明の一態様による照明装置の機能を説明するための概略図を示す。図４の照明装置は、２つのＬＥＤランプ１００Ａ、１００Ｂを備えている。図４のＬＥＤランプ１００Ａ、１００Ｂは、図１で説明したＬＥＤランプ１００と同様、直管形ＬＥＤランプであってよい。２つの直管形ＬＥＤランプが平行に並んで配置されている。そして、ＬＥＤランプ１００Ａ、１００Ｂはそれぞれ、図１で説明したＬＥＤランプ１００と同様、照射方向が互いに異なる複数のＬＥＤを備えており、これら複数のＬＥＤがそれぞれ個別に出力調整可能となっている。各ＬＥＤランプの具体的な構造及び機能については、図１で説明したＬＥＤランプ１００と同じであるので、説明及び符号の一部を省略する。
【００４０】
図４の（ａ）〜（ｃ）に、本発明の一態様による照明装置の照射モードの例を示す。図４（ａ）は、ＬＥＤランプ１００Ａの直下が強く照射されるモードを示す（ランプ直下照射モードＡ）。このモードにおいては、ＬＥＤランプ１００ＡのＬＥＤ１２ＡがＯＮとなっており、それ以外ＬＥＤ、つまりＬＥＤランプ１００ＡのＬＥＤ１１Ａ、１３Ａ及びＬＥＤランプ１００ＢのＬＥＤ１１Ｂ、１２Ｂ、１３Ｂは、ＯＦＦとなっているか又はＬＥＤ１２Ａに対して相対的に光出力が弱くなっている。ＬＥＤランプ１００ＡのＬＥＤ１２Ａからの主照射光を５１２Ａで示す。
【００４１】
図４（ｂ）は、２つのＬＥＤランプ１００Ａ、１００Ｂの中間の領域が強く照射されるモードを示す（ランプ間照射モード）。このモードでは、ＬＥＤランプ１００ＡのＬＥＤ１３Ａと、ＬＥＤランプ１００ＢのＬＥＤ１１ＢとがＯＮとなっており、それ以外のＬＥＤ、つまり、ＬＥＤ１１Ａ、１２Ａ、１２Ｂ、１３Ｂは、ＯＦＦとなっているか又はＬＥＤ１３Ａ、ＬＥＤ１１Ｂに対して相対的に光出力が弱くなっている。
【００４２】
このランプ間照射モードでは、ＬＥＤランプ１００ＡのＬＥＤ１３Ａの主照射光５１３Ａと、ＬＥＤランプ１００ＢのＬＥＤ１１Ｂの主照射光５１１Ｂとが互いに重なっている。このモードは、ＬＥＤランプ１００ＡとＬＥＤランプ１００Ｂとの間の空間を特に重点的に照射したい場合に利用することができる。
【００４３】
図４（ｃ）は、ＬＥＤランプ１００Ｂの直下が強く照射されるモードを示す（ランプ直下照射モードＢ）。このモードにおいては、ＬＥＤランプ１００ＢのＬＥＤ１２ＢがＯＮとなっており、それ以外ＬＥＤ、つまりＬＥＤランプ１００ＡのＬＥＤ１１Ａ、１１Ｂ、１３Ａ及びＬＥＤランプ１００ＢのＬＥＤ１１Ｂ、１３Ｂは、ＯＦＦとなっているか又はＬＥＤ１２Ａに対して相対的に光出力が弱くなっている。ＬＥＤランプ１００ＢのＬＥＤ１２Ｂからの主照射光は５１２Ｂで示す。
【００４４】
図４（ａ）〜図４（ｃ）で示したモードは、例えば、人又は物が図４の左側から右側に移動する場合、その移動に合せてその人又は物を照射したい場合に有効に利用できる。つまり、照明装置のモードを、（ａ）ランプ直下照射モードＡ、（ｂ）ランプ間照射モード、（ｃ）ランプ直下照射モードＢの順に変更することで、左側から右側へと位置を移動する照射対象物を重点的に照射することが可能となる。
【００４５】
図４では、本発明の一態様による照明装置を、３つのモードを例に挙げて説明したが、各ＬＥＤランプにおける各ＬＥＤの出力を任意に組み合わせて、その他の様々なモードが考えられる。また、図示の例では、ＬＥＤランプの長手方向に直交する断面で見て照射方向が異なるＬＥＤがそれぞれ個別に制御可能となっているが、ＬＥＤランプの長手方向に沿って配置された同一の列においてＬＥＤを個別に制御することも可能である。これにより、より一層きめ細やかな照明の制御を実現することができる。
【００４６】
図４における照明装置においては、ＬＥＤランプ１００ＡとＬＥＤランプ１００Ｂとを互いに連動して（連携して）制御することができる。つまり、ＬＥＤランプ１００Ａ、１００Ｂに設けられているＬＥＤは、それぞれが独立して出力調整できるようになっているが、これらのＬＥＤの全て又は一部の出力は、所望のモードが得られるように互いに関連付けられていてよい。例えば、照射領域が重なっているＬＥＤランプ１００ＡのＬＥＤ１３ＡとＬＥＤランプ１００ＢのＬＥＤ１１Ｂとを互いに連動して制御することができる。これにより、所定の被照射位置の照度を２つのＬＥＤランプによって制御することが可能になる。
【００４７】
ＬＥＤランプが複数ある場合、第一のＬＥＤランプと、それに最も近い、第二のＬＥＤランプのＬＥＤとが互いに連携するように制御されていてもよい。
【００４８】
複数のＬＥＤランプが連動して制御されていることによって、より広範囲で配光及び照度分布を高い自由度で調整することができ、きめ細やかな照明の制御が可能となる。
【００４９】
２つ以上のＬＥＤランプの連動した制御は、各ランプに設けられた制御部６０によって実現することができる。この場合、制御部６０を無線モジュールで構成することができる。ＬＥＤ及びＬＥＤランプの制御は、リモートコントロール可能であると好ましい。
【００５０】
なお、人や物の移動を感知してモードを決定する場合には、照明装置がセンサを備えていると有利である。センサが人や物の位置や動きを感知して、それに応じたモードで照明装置を作動させることができる。
【００５１】
図５に、本発明の一態様による照明装置の別のモードを示す。このモードでは、ＬＥＤランプ１００ＡのＬＥＤ１２Ａ、ＬＥＤ１３Ａ、及びＬＥＤランプ１００ＣのＬＥＤ１１Ｃ、ＬＥＤ１２ＣがＯＮとなっており、それ以外のＬＥＤ１１Ａ、ＬＥＤ１３ＣがＯＦＦとなっているか又はその光出力がＬＥＤ１２Ａ、１３Ａ、１１Ｃ、１２Ｃに対して相対的に弱くなっている。但し、このモードでは、ＬＥＤ１００ＣのＬＥＤ１２Ｃが電球色の光を照射し、それ以外のＬＥＤが昼白色の光を照射している。
【００５２】
図５のモードは、例えば、右側に配置されたＬＥＤランプ１００Ｃとして、図２（ｃ）に示した直管形ＬＥＤランプを使用することによって実現することができる。より具体的には、右側のＬＥＤランプ１００Ｃとして、電球色に発光するＬＥＤ光源１２と昼白色に発光するＬＥＤ光源１２ａとが配置面２２で交互に並んでいるＬＥＤランプ（図３に図示）を使用することによって実現することができる。
【００５３】
図４及び図５では、ＬＥＤランプを２つ備えた照明装置を図示しているが、照明装置は、３以上のＬＥＤランプを備えていてよい。その場合、３以上のＬＥＤランプは、直線方向に一列に並べられて配置されていてもよいし、所定の領域を囲むように環を形成するように配置されていてもよい。例えば、照明装置がＬＥＤランプを３つ備えている場合には、同一平面上の仮想の三角形の各頂点にＬＥＤランプが存在するよう配置されていてもよい。
【００５４】
また、照明装置に備えられた２つ以上のＬＥＤランプは、その全てが同一平面に位置していてもよく、また全てのＬＥＤランプが同一平面に位置していなくてもよい。例えば、２つ以上のＬＥＤランプは、異なる高さで配置されていてもよい。
【００５５】
ＬＥＤランプの数及び配置については、照明装置の用途や使用形態に応じて、適宜選択することができる。
【００５６】
また、図示の例では、照明装置は、同じ構成を有するＬＥＤランプ１００Ａ、１００Ｂを２つ備えているが、２つ以上のＬＥＤランプの構成は互いに異なっていてもよい。例えば、１つのＬＥＤランプが、照射方向の異なるＬＥＤを２つ備えており、別の１つのＬＥＤランプが、照射方向の異なるＬＥＤを３つ備えていてもよい。
【符号の説明】
【００５７】
１１〜１３、１１Ａ〜１３Ａ、１１Ｂ〜１３Ｂ、１２ａ  ＬＥＤ
２０、２０Ａ、２０Ｂ、２０Ｃ  基板
２１、２２、２３  ＬＥＤ配置面
３０、３０Ａ、３０Ｂ、３０Ｃ  カバー部材
５０、５０Ａ、５０Ｂ、５０Ｃ  支持体
７０  被照射面
１００、１００Ａ、１００Ｂ、１００Ｃ  ＬＥＤランプ
５１１、５１２、５１３、５１２Ａ、５１３Ａ、５１１Ｂ、５１１Ｃ、５１２Ｃ  主照射光
【先行技術文献】
【特許文献】
【００５８】
【特許文献１】特開２０１２−１６４５４１号公報
【特許文献２】特開２０１４−１７５２７５号公報
【図１】
2017188231.tif 000003
【図２】
2017188231.tif 000004
【図３】
2017188231.tif 000005
【図４】
2017188231.tif 000006
【図５】
2017188231.tif 000007